(57)【特許請求の範囲】
【請求項１】
先端部に吐水口が設けられる吐水部を有し、水源から供給される原水及び浄水のうち、そのいずれか一方を内部に流通させて前記吐水口から吐出する吐水装置本体と、
複数の散水孔を有し、前記吐水口と所定の間隔をあけて対向配置される散水板と、
前記散水板と前記吐水口との間に配置され、前記複数の散水孔のうち一部の散水孔と対向するパッキンと、
前記パッキンから離隔した離隔位置と前記パッキンに当接する当接位置との間で、前記散水板を変位させる変位機構と
を備え、
前記パッキンは、散水板と当接した状態において、前記複数の散水孔のうちパッキンと対向する一部の散水孔のそれぞれを塞ぐことを特徴とする吐水装置。
【請求項２】
前記散水板は、
前記吐水部に螺嵌される円筒部の先端に設けられ、
前記変位機構は、
前記吐水部および前記円筒部の一方に設けられる雄ネジ部と、
前記吐水部および前記円筒部の他方に設けられ、前記雄ネジ部と螺合する雌ネジ部と
を備えることを特徴とする請求項１に記載の吐水装置。
【請求項３】
前記吐水部は、
円筒状の外周面を有し、
前記散水板は、
前記吐水部に対して同軸上に外嵌される外筒部の先端に設けられ、
前記変位機構は、
前記吐水部と前記外筒部との間に設けられること
を特徴とする請求項１に記載の吐水装置。
【請求項４】
前記変位機構は、
前記吐水部の外周面および前記外筒部の内周面の一方に設けられ、軸方向に対して所定の角度で傾斜する傾斜溝と、
前記吐水部の外周面および前記外筒部の内周面の他方に設けられ、前記傾斜溝に係止される突起部と
を備えることを特徴とする請求項３に記載の吐水装置。
【請求項５】
前記吐水口は、
前記吐水部の先端部中央に設けられる第１吐水口と、
前記第１吐水口よりも外周側に設けられる複数の第２吐水口と
を備え、
前記散水板は、
前記第２吐水口と対向する位置に前記散水孔を有するとともに、前記第１吐水口と対向する位置にストレート吐水用開口部を有すること
を特徴とする請求項１〜４のいずれか一つに記載の吐水装置。
【発明の詳細な説明】
【技術分野】
【０００１】
開示の実施形態は、吐水装置に関する。
【背景技術】
【０００２】
従来、たとえばキッチンや洗面所等に使用される吐水装置として、シャワー吐水を行うものがある。この種の吐水装置は、複数の散水孔が形成された散水板を流路の末端に備え、流路から吐出される水を散水板の各散水孔に分散させることによってシャワー吐水を行う。
【０００３】
このような吐水装置では、たとえば流量が低下した場合に、勢いの足りないシャワーとなったり、水がシャワー状に分散されずに滴り落ちたりすることがある。これは、流量が低下することで、シャワーの形成に必要な流速が得られ難くなるためである。
【０００４】
そこで、散水板に対して接離可能なパッキンを流路の内部に設けた吐水装置が知られている（たとえば、特許文献１および２参照）。この吐水装置は、流路内のパッキンを散水板へ向けて移動させて、散水板に設けられた散水孔の一部をパッキンで塞ぐことにより、残りの散水孔から吐出される水の流速を高めることができる。したがって、仮に流量が低下した場合であっても、適切なシャワー吐水を行うことが可能である。
【先行技術文献】
【特許文献】
【０００５】
【特許文献１】特開平１１−０００５８３号公報
【特許文献２】実開昭５０−１５０５４０号公報
【発明の概要】
【発明が解決しようとする課題】
【０００６】
しかしながら、上述した従来の吐水装置は、装置内部のパッキンを変位させる構成としているため、吐水装置の内部構造が煩雑化するおそれがある。内部構造が煩雑化すると、たとえば、シャワー吐水とストレート吐水とを切り替えるための構造を吐水装置の内部に設けることが難しくなるなどの不都合が生じ易い。
【０００７】
実施形態の一態様は、内部構造の煩雑化を抑えつつ、シャワー吐水の流速を切り替えることのできる吐水装置を提供することを目的とする。
【課題を解決するための手段】
【０００８】
実施形態の一態様に係る吐水装置は、先端部に吐水口が設けられる吐水部を有し、水源から供給される原水及び浄水のうち、そのいずれか一方を内部に流通させて前記吐水口から吐出する吐水装置本体と、複数の散水孔を有し、前記吐水口と所定の間隔をあけて対向配置される散水板と、前記散水板と前記吐水口との間に配置され、前記複数の散水孔のうち一部の散水孔と対向するパッキンと、前記パッキンから離隔した離隔位置と前記パッキンに当接する当接位置との間で、前記散水板を変位させる変位機構とを備え、前記パッキンは、散水板と当接した状態において、前記複数の散水孔のうちパッキンと対向する一部の散水孔のそれぞれを塞ぐことを特徴とする。
【０００９】
散水板を当接位置へ変位させると、散水板に設けられた複数の散水孔のうち一部の散水孔がパッキンで塞がれた状態となる。これにより、パッキンで塞がれていない残りの散水孔から吐出される水の流速を高めることができ、通常のシャワー吐水である「ノーマルシャワー吐水」よりも流速の速い「高速シャワー吐水」へ切り替えることができる。また、吐水装置の外部に設けられる散水板を変位させる構成とすることで、吐水装置の内部に設けられるパッキンを変位させる構成と比較して内部構造の煩雑化を抑えることができる。したがって、内部構造の煩雑化を抑えつつ、シャワー吐水の流速を切り替えることができる。
【００１０】
また、前記散水板は、前記吐水部に螺嵌される円筒部の先端に設けられ、前記変位機構は、前記吐水部および前記円筒部の一方に設けられる雄ネジ部と、前記吐水部および前記円筒部の他方に設けられ、前記雄ネジ部と螺合する雌ネジ部とを備えることを特徴とする。
【００１１】
これにより、簡易な構成によって散水板を変位させることができる。また、散水板を回転させることで、「ノーマルシャワー吐水」と「高速シャワー吐水」との切り替えを行うことができるため、切り替え操作が容易である。
【００１２】
また、前記吐水部は、円筒状の外周面を有し、前記散水板は、前記吐水部に対して同軸上に外嵌される外筒部の先端に設けられ、前記変位機構は、前記吐水部と前記外筒部との間に設けられることを特徴とする。
【００１３】
変位機構が吐水装置本体の外部に設けられるため、吐水装置本体の内部構造が煩雑化することがない。また、変位機構を吐水部と外筒部との間に設けて、変位機構が外部に露出しない構成としているため、意匠性の高い外観を得ることができる。
【００１４】
また、前記変位機構は、前記吐水部の外周面および前記外筒部の内周面の一方に設けられ、軸方向に対して所定の角度で傾斜する傾斜溝と、前記吐水部の外周面および前記外筒部の内周面の他方に設けられ、前記傾斜溝に係止される突起部とを備えることを特徴とする。
【００１５】
これにより、簡易な構成によって散水板を変位させることができる。また、使用者は、散水板または外筒部を把持して回転させることで、「ノーマルシャワー吐水」と「高速シャワー吐水」との切り替えを行うことができるため、切り替え操作が容易である。
【００１６】
また、前記吐水口は、前記吐水部の先端部中央に設けられる第１吐水口と、前記第１吐水口よりも外周側に設けられる複数の第２吐水口とを備え、前記散水板は、前記第２吐水口と対向する位置に前記散水孔を有するとともに、前記第１吐水口と対向する位置にストレート吐水用開口部を有することを特徴とする。これにより、シャワー吐水とストレート吐水とを切り替えて使用することができる。
【００１７】
また、前記散水板に設けられ、前記吐水部から前記散水板へ至る流路を、前記第１吐水口から前記ストレート吐水用開口部へ至る流路と、前記第２吐水口から前記散水孔へ至る流路とに仕切る内筒部を備え、前記内筒部の内周面は、前記散水板側に設けられる大径部分と、前記大径部分よりも前記吐水部側に設けられる小径部分とが段差面を介して連続する形状を有し、前記吐水装置本体は、前記第１吐水口に差し込まれることによって前記吐水部に固定される先端部と、前記散水板が前記離隔位置にある場合に、前記内筒部の前記段差面と当接する位置または当該位置よりも前記パッキンから離れた位置に配置される係止部とを有する規制部材を備えることを特徴とする。
【００１８】
かかる構成とすることで、たとえば、使用者が散水板を離隔位置よりも更にパッキンから離隔させるような誤操作を行った場合であっても、散水部が使用者の意図に反して吐水部から外れてしまうことを防止することができる。
【００１９】
また、前記複数の散水孔は、前記散水板に対して同心円状に並べて設けられ、前記パッキンは、環状であることを特徴とする。このような構成は、たとえば、散水板の中央にストレート吐水用の開口部を設ける場合に有効である。
【発明の効果】
【００２０】
実施形態の一態様によれば、内部構造の煩雑化を抑えつつ、シャワー吐水の流速を切り替えることができる。
【図面の簡単な説明】
【００２１】
【図１】図１は、第１の実施形態に係る吐水装置の外観斜視図である。
【図２】図２は、吐水ヘッドおよび散水部の断面図である。
【図３】図３は、散水板を下方から見た図である。
【図４】図４は、ノーマルシャワー吐水時における水の流れを示す図である。
【図５】図５は、高速シャワー吐水時における水の流れを示す図である。
【図６】図６は、図２に示すＨ部の模式拡大図である。
【図７】図７は、変位機構の第１変形例を示す図である。
【図８】図８は、変位機構の第２変形例を示す図である。
【図９】図９は、変位機構の第３変形例を示す図である。
【図１０】図１０は、パッキンの変形例を示す図である。
【図１１】図１１は、パッキンの取付構造の第１変形例を示す図である。
【図１２】図１２は、パッキンの取付構造の第２変形例を示す図である。
【図１３】図１３は、パッキンの取付構造の第３変形例を示す図である。
【発明を実施するための形態】
【００２２】
以下、添付図面を参照して、本願の開示する吐水装置の実施形態を詳細に説明する。なお、以下に示す実施形態によりこの発明が限定されるものではない。
【００２３】
（第１の実施形態）
＜１．吐水装置の全体構成＞
まず、第１の実施形態に係る吐水装置の全体構成について図１を参照して説明する。図１は、第１の実施形態に係る吐水装置の外観斜視図である。
【００２４】
図１に示すように、第１の実施形態に係る吐水装置１は、キッチンや洗面化粧台等のカウンターに設置される吐水装置本体２と、吐水装置本体２から吐出される水をシャワー状に分散させる散水部３とを備える。
【００２５】
吐水装置本体２は、カウンター等の設置面に固定されるベース部４と、ベース部４に対して回動自在に取り付けられるスパウト５と、スパウト５の先端に着脱自在に取り付けられる吐水ヘッド６とを備える。
【００２６】
ベース部４には、給水源（図示せず）からの常温水と、給湯源（図示せず）からの湯と、浄水器（図示せず）からの浄水とが、それぞれ別経路で供給される。ベース部４は、内部にバルブユニット（図示せず）を備えており、このバルブユニットが、温度・流量調節レバー７または原水・浄水切替レバー８への操作に伴い動作することで、常温水と湯との混合比率や流量を調節したり、原水と浄水との切り替えを行ったりする。
【００２７】
ベース部４において調節等された原水（常温水、湯、湯水混合水）または浄水は、スパウト５の内部に設けられた引き出しホース（図示せず）を介して吐水ヘッド６へ供給され、吐水ヘッド６の吐水部１２０から散水部３へ向けて吐出される。
【００２８】
散水部３は、吐水ヘッド６の吐水部１２０に対して着脱自在に取り付けられるキャップ状の部材である。散水部３は、吐水部１２０から吐出される原水（常温水、湯、湯水混合水）または浄水を後述する散水板２１０（図２参照）を用いてシャワー状に分散させる。
【００２９】
＜２．吐水ヘッドおよび散水部の構成＞
次に、吐水ヘッド６および散水部３の構成について図２を参照して説明する。図２は、吐水ヘッド６および散水部３の断面図である。なお、以下においては、原水（常温水、湯、湯水混合水）および浄水を総称して単に「水」と記載する。また、給水源、給湯源および浄水器を総称して単に「水源」と記載する。
【００３０】
＜２−１．吐水ヘッド＞
まず、吐水ヘッド６の構成について説明する。図２に示すように、吐水ヘッド６は、ヘッド本体１１０と、吐水部１２０とを備える。
【００３１】
ヘッド本体１１０は、たとえば円筒形状を有し（図７参照）、内部に通水路形成部材１１１を備える。通水路形成部材１１１は、ベース部４から引き出しホースを介して供給される水を吐水部１２０の後述する第１吐水路１２３または第２吐水路１２４へ導く通水路を形成する部材である。
【００３２】
吐水部１２０は、ヘッド本体１１０の外周部に対し、ヘッド本体１１０の軸方向と略直交する方向に突出して設けられる。吐水部１２０は、円筒状の外周面を有し、先端部に第１吐水口１２１と、複数の第２吐水口１２２とを備える。
【００３３】
第１吐水口１２１は、吐水部１２０の先端部中央に設けられており、第１吐水路１２３へ流入した水を散水部３の後述するストレート吐水用開口部２１１へ向けて吐出する。また、第２吐水口１２２は、第１吐水口１２１よりも外周側に円周状に並べて設けられており、第２吐水路１２４へ流入した水を散水部３の後述する散水孔２１２，２１３へ向けて吐出する。
【００３４】
ここで、第１の実施形態に係る吐水部１２０は、通水路形成部材１１１側に設けられる第１吐水部材１２０＿１と、散水部３側に設けられる第２吐水部材１２０＿２とで構成される。第１吐水部材１２０＿１および第２吐水部材１２０＿２は、吐水方向を軸として回転方向に力を受けた際に位置がずれないよう突起等により位置決めされている。また、第１吐水部材１２０＿１と通水路形成部材１１１とには、吐水部１２０が吐水方向を軸として回転方向に力を受けた際に回転しないよう回転止めの嵌合構造が設けられている。
【００３５】
第１吐水部材１２０＿１および第２吐水部材１２０＿２の位置は、第２吐水路１２４の位置が重なるよう位置決めされており、それにより第１吐水部材１２０＿１からの水を第２吐水部材１２０＿２へ滞留することなく通水させることができる。第１吐水部材１２０＿１の孔(流路)の面積の合計を小さくすることで、第１吐水部材１２０＿１の孔（流路）を通過する水の流速を上げることができるため、第１吐水部材１２０＿１を通った水が第２吐水部材１２０＿２に入ることにより周囲に負圧が発生し、空気を巻き込んだ水流となる。この空気と水の混合流は第２吐水口１２２から排出され、散水孔２１２，２１３から吐水される前に攪拌され、気泡を含んだシャワーとして散水孔２１２，２１３から吐出される。
【００３６】
なお、第２吐水部材１２０＿２へ引き込まれる空気は、第１吐水部材１２０＿１と第２吐水部材１２０＿２との嵌合部に設けられた隙間から吸入される。このような構成とすることで、第１吐水部材１２０＿１と第２吐水部材１２０＿２との隙間から外部へ水が漏れることなく、空気と水が混合された気泡混入水を吐出する気泡混入シャワーを実現することができる。
【００３７】
なお、ここでは、吐水部１２０が複数の部材から構成される場合の例を示すが、吐水部１２０は、単一の部材で構成されてもよい。
【００３８】
通水路形成部材１１１によって形成される通水路には、切替弁１１２が設けられる。切替弁１１２は、通水路へ流入した水の流出先を吐水部１２０の第１吐水路１２３または第２吐水路１２４へ切り替える弁体である。切替弁１１２は、ヘッド本体１１０の先端に設けられた操作部１１３が回転操作されることで、操作部１１３の回転に伴って吐水ヘッド６の軸方向に沿って移動して水の流出先を切り替える。
【００３９】
このように、吐水ヘッド６は、ベース部４から引き出しホースを介して供給される水を第１吐水口１２１から散水部３のストレート吐水用開口部２１１へ向けて、あるいは、第２吐水口１２２から散水部３の散水孔２１２，２１３へ向けて吐出する。
【００４０】
＜２−２．散水部＞
つづいて、散水部３の構成について説明する。散水部３は、吐水部１２０に対して着脱自在に取り付けられる部材であり、散水板２１０と、外筒部２２０と、内筒部２３０とを備える。散水部３は、キャップ形状を有しており（図１参照）、散水板２１０がキャップの天井部分に相当し、この散水板２１０の外周部分に外筒部２２０が設けられ、外筒部２２０よりも内周側に内筒部２３０が設けられる。外筒部２２０および内筒部２３０は、散水板２１０に対して一体的に設けられる。
【００４１】
散水板２１０は、吐水部１２０の第１吐水口１２１および第２吐水口１２２と所定の間隔をあけて対向配置される。散水板２１０は、第１吐水口１２１と対向する位置にストレート吐水用開口部２１１を有し、第２吐水口１２２と対向する位置に複数の散水孔２１２，２１３を有する。ここで、散水板２１０の構成について図３を参照して具体的に説明する。図３は、散水板２１０を下方から見た図である。
【００４２】
図３に示すように、散水板２１０は略円環状の形状を有しており、中央の開口部をストレート吐水用開口部２１１としている。複数の散水孔２１２，２１３は、ストレート吐水用開口部２１１よりも外周側に同心円状に並べて設けられる。具体的には、ストレート吐水用開口部２１１の外周側に複数の散水孔２１２が円周状に並べて設けられ、そのさらに外周側に複数の散水孔２１３が円周状に並べて設けられる。
【００４３】
なお、ストレート吐水用開口部２１１には、吐水キャップ２１４が取り付けられる。また、散水板２１０の外周部には、使用者によって操作されるつまみ部２１５が設けられる。
【００４４】
図２に戻り、外筒部２２０について説明する。外筒部２２０は、散水板２１０の外周部分に一体的に設けられる。外筒部２２０は、散水板２１０の外周部分から吐水部１２０側へ向けて突出する略円筒状の形状を有しており、吐水部１２０の第２吐水部材１２０＿２に対して同軸上に外嵌される。外筒部２２０と吐水部１２０との間には、シール部材３００が設けられており、このシール部材３００により、外筒部２２０と吐水部１２０との間の水密性が確保される。また、外筒部２２０の外周部には、たとえば金属製のカバー体２４０が取り付けられる。
【００４５】
内筒部２３０は、散水板２１０の内周部分、具体的には、ストレート吐水用開口部２１１の開口縁部分に一体的に設けられる。内筒部２３０は、吐水部１２０側へ向けて突出する筒形状を有しており、吐水部１２０から散水板２１０へ至る流路を、第１吐水口１２１からストレート吐水用開口部２１１へ至る流路と、第２吐水口１２２から散水孔２１２，２１３へ至る流路とに仕切る。
【００４６】
吐水部１２０の第１吐水口１２１から吐出される水は、内筒部２３０よりも内側の流路を通ってストレート吐水用開口部２１１へ到達し、ストレート吐水用開口部２１１からストレート吐水される。また、吐水部１２０の第２吐水口１２２から吐出される水は、内筒部２３０よりも外側の流路を通って複数の散水孔２１２，２１３へ到達し、複数の散水孔２１２，２１３によって分散されてシャワー吐水される。
【００４７】
＜３．２種類のシャワー吐水形態＞
第１の実施形態に係る吐水装置１は、上記のようにシャワー吐水とストレート吐水とを切り替え可能であるが、さらに、「ノーマルシャワー吐水」と、ノーマルシャワー吐水よりも流速の速い「高速シャワー吐水」の２種類のシャワー吐水形態を有する。以下では、この２種類のシャワー吐水形態を実現するための構成について説明する。
【００４８】
図２に示すように、吐水装置１は、吐水部１２０と散水板２１０との間にパッキン４００を備える。パッキン４００は、吐水部１２０に取り付けられた固定部材４１０の先端に固定される。また、パッキン４００は、図３に示すように、円環形状を有しており、複数の散水孔２１２，２１３のうち内周側に配置される散水孔２１２と対向配置される。
【００４９】
吐水装置１は、後述する変位機構を用いて散水部３を移動させ、散水部３に設けられた散水板２１０をパッキン４００に当接させたり離隔させたりすることで、「ノーマルシャワー吐水」と「高速シャワー吐水」とを切り替える。この動作について図４および図５を参照して説明する。図４は、ノーマルシャワー吐水時における水の流れを示す図である。また、図５は、高速シャワー吐水時における水の流れを示す図である。
【００５０】
なお、図４および図５には、吐水部１２０および散水部３を図２とは異なる方向から見た場合の断面図を示している。具体的には、図４および図５には、図２に示す規制部材５００の側断面が見えるように切った断面図を示している。
【００５１】
図４に示すように、ノーマルシャワー吐水時においては、散水板２１０がパッキン４００から離隔した状態となっている。このため、第２吐水路１２４を通って第２吐水口１２２から吐出された水は、複数の散水孔２１２，２１３の全てに分散してシャワー吐出される。
【００５２】
一方、後述する変位機構を用いて散水部３を移動させ、散水板２１０をパッキン４００と当接する当接位置へ変位させることで、シャワー吐水形態は、ノーマルシャワー吐水から高速シャワー吐水形態へ切り替わる。
【００５３】
図５に示すように、高速シャワー吐水時においては、散水板２１０がパッキン４００に当接した状態となっている。パッキン４００は、上述したように、複数の散水孔２１２，２１３のうち内周側の散水孔２１２と対向配置されている（図３参照）。このため、散水板２１０がパッキン４００に当接することで、複数の散水孔２１２，２１３のうち内周側の散水孔２１２がパッキン４００で塞がれた状態となる。これにより、第２吐水路１２４を通って第２吐水口１２２から吐出される水は、外周側の散水孔２１３のみに分散してシャワー吐出されることとなる。
【００５４】
このように、パッキン４００によって散水孔２１２，２１３が部分的に塞がれることで、水が流通可能な散水孔２１２，２１３の数が減る、すなわち、流路断面積の合計値が小さくなる。各散水孔２１２，２１３から吐出される水の流速は、流路断面積の合計値が小さくなるほど速くなる。したがって、パッキン４００によって塞がれていない外周側の散水孔２１３からのシャワー吐水は、ノーマルシャワー吐水時よりも流速の速い高速シャワー吐水となる。
【００５５】
このように、第１の実施形態に係る吐水装置１は、ノーマルシャワー吐水と高速シャワー吐水とを切り替えることができる。このため、使用者は、たとえばノーマルシャワー吐水時に流量が低下してシャワー吐水を適切に行うことができなくなった場合でも、ノーマルシャワー吐水から高速シャワー吐水へ切り替えることで、シャワー吐水を継続させることができる。
【００５６】
なお、ここでは、内周側の散水孔２１２をパッキン４００で塞ぐ場合の例を示したが、外周側の散水孔２１３をパッキン４００で塞いでもよい。この場合、パッキン４００は、外周側の散水孔２１３と対向する位置に配置させればよい。
【００５７】
また、流量が低下する原因としては、たとえば複数箇所で同時に吐水を行った場合における元圧の低下が挙げられるが、他の原因として、浄水器による圧力損失も考えられる。すなわち、原水・浄水切替レバー８（図１参照）を操作して、原水から浄水への切り替えを行うと、浄水器による圧力損失を受けて流量が低下して、シャワー吐水を適切に行うことができなくなる場合がある。このような場合でも、使用者は、ノーマルシャワー吐水から高速シャワー吐水へ切り替えることで、浄水によるシャワー吐水を十分な流速をもって行うことが可能である。
【００５８】
＜４．変位機構＞
上述したように、「ノーマルシャワー吐水」と「高速シャワー吐水」との切り替えは、パッキン４００に対して散水板２１０を接離させることによって行われる。吐水装置１は、パッキン４００から離隔した「離隔位置」とパッキン４００に当接する「当接位置」との間で散水板２１０を変位させる変位機構を備える。
【００５９】
この変位機構の構成の一例について図６を参照して説明する。図６は、図２に示すＨ部の模式拡大図である。
【００６０】
図６に示すように、吐水部１２０が備える第１吐水部材１２０＿１の外周面には、雄ネジ部１２０ａが形成される。具体的には、雄ネジ部１２０ａは、第１吐水部材１２０＿１のうち、第１吐水口１２１を形成する筒部の外周面に形成される。また、散水部３が備える内筒部２３０の内周面には、上記雄ネジ部１２０ａに螺合する雌ネジ部２３０ａが形成される。内筒部２３０の雌ネジ部２３０ａを第１吐水部材１２０＿１の雄ネジ部１２０ａに螺合させることにより、内筒部２３０が第１吐水部材１２０＿１に螺嵌され、散水部３が吐水部１２０に取り付けられた状態となる。
【００６１】
このように、第１の実施形態に係る吐水装置１は、変位機構として、雄ネジ部１２０ａと雌ネジ部２３０ａとを備えており、吐水方向を軸とする回転方向に散水部３を回転させることにより、散水部３が螺旋状に回転移動する。これにより、パッキン４００から離隔した「離隔位置」とパッキン４００に当接する「当接位置」との間で散水板２１０を変位させることができる。
【００６２】
たとえば、散水板２１０が「離隔位置」にある状態、すなわち、「ノーマルシャワー吐水」状態において、使用者が、散水部３を時計回りに回転させると、散水部３が螺旋状に回転しながら上昇して、散水板２１０が「当接位置」へ変位する。すなわち、「高速シャワー吐水」へ切り替わる。また、散水板２１０が「当接位置」にある状態、すなわち、「高速シャワー吐水」状態において、使用者が、散水部３を反時計回りに回転させると、散水部３が螺旋状に回転しながら下降して、散水板２１０が「離隔位置」へ変位する。すなわち、「ノーマルシャワー吐水」へ切り替わる。
【００６３】
このように、第１の実施形態に係る吐水装置１は、吐水装置１の外部に設けられる散水板２１０を変位させて、「ノーマルシャワー吐水」と「高速シャワー吐水」とを切り替えることとした。このため、従来の吐水装置のように吐水装置の内部に設けられるパッキンを変位させる構成と比較して、内部構造の煩雑化を抑えることができる。したがって、第１の実施形態に係る吐水装置１によれば、内部構造の煩雑化を抑えつつ、シャワー吐水の流速を切り替えることができる。また、内部構造の煩雑化を抑えることにより、ストレート吐水と行うための構成（第１吐水口１２１、第１吐水路１２３、ストレート吐水用開口部２１１など）を吐水装置１に対して自由に配置することができる。
【００６４】
また、第１の実施形態に係る吐水装置１は、変位機構として、雄ネジ部１２０ａと雌ネジ部２３０ａとを備えることとした。したがって、第１の実施形態に係る吐水装置１によれば、簡易な構成によって散水板２１０を変位させることができる。また、使用者は、シャワー吐水の形態を切り替えたい場合には、散水部３を把持して回転させればよく、片手でも操作できるため切り替え操作が容易である。また、少ない操作量で切り替えを行うことも可能である。たとえば、吐水装置１では、散水部３を３０°回転させることで、散水板２１０を１．５ｍｍ程度変位させることが可能である。
【００６５】
また、第１の実施形態に係る吐水装置１では、散水部３の外筒部２２０を吐水部１２０の第２吐水部材１２０＿２に外嵌させる構成としている。これにより、散水板２１０に傾き等が生じ難くなるため、散水板２１０とパッキン４００との間のシール性を確保することが容易である。
【００６６】
なお、散水板２１０および外筒部２２０の外周部には、つまみ部２１５，２２２が設けられている（図７参照）。このようなつまみ部２１５，２２２を設けることで、使用者が散水部３に対して力を加え易くなるため、「ノーマルシャワー吐水」と「高速シャワー吐水」との切り替えをより小さい力で行うことができる。
【００６７】
ここでは、第１吐水部材１２０＿１の外周面に雄ネジ部１２０ａが形成され、内筒部２３０の内周面に雌ネジ部２３０ａが形成される場合の例を示したが、雄ネジ部１２０ａおよび雌ネジ部２３０ａが形成される場所は、上記の例に限定されない。たとえば、吐水部１２０が備える第２吐水部材１２０＿２の外周面に雄ネジ部１２０ａを形成し、散水部３が備える外筒部２２０の内周面に雌ネジ部２３０ａを形成してもよい。
【００６８】
また、ここでは、吐水部１２０に雄ネジ部１２０ａが形成され、散水部３に雌ネジ部２３０ａが形成される場合の例を示したが、これとは逆に、吐水部１２０に雌ネジ部２３０ａが形成され、散水部３に雄ネジ部１２０ａが形成される構成であってもよい。たとえば、吐水部１２０が備える第２吐水部材１２０＿２の内周面に雌ネジ部２３０ａを形成し、散水部３が備える内筒部２３０の外周面に雄ネジ部１２０ａを形成してもよい。
【００６９】
なお、散水部３が備える外筒部２２０および内筒部２３０は、吐水部１２０に螺嵌される「円筒部」の一例に相当する。
【００７０】
＜５．散水板の変位を規制する規制部材＞
第１の実施形態に係る吐水装置１では、たとえば使用者の誤操作により、散水板２１０を「離隔位置」よりも更にパッキン４００から離隔させる方向に散水部３が回転されると、使用者の意図に反して吐水部１２０から散水部３が外れてしまうおそれがある。
【００７１】
このため、第１の実施形態に係る吐水装置１は、散水板２１０が上述した「離隔位置」よりも更にパッキン４００から離隔しようとした場合に、散水板２１０の変位を規制する規制部材５００を備える（図２参照）。
【００７２】
具体的には、図２に示すように、散水部３が備える内筒部２３０の内周面は、散水板２１０側に設けられる大径部分と、この大径部分よりも吐水部１２０側に設けられる小径部分とが、段差面２３１を介して連続する形状を有している。
【００７３】
規制部材５００は、薄板状の部材であり（図４参照）、第１吐水口１２１に先端部５１０が差し込まれることによって吐水部１２０に固定される。規制部材５００の基端部には、先端部５１０よりも幅広の係止部５２０が設けられる。
【００７４】
係止部５２０は、先端部５１０が第１吐水路１２３に差し込まれた状態において、内筒部２３０の段差面２３１と対向配置される。具体的には、係止部５２０は、散水板２１０が「離隔位置」にある場合に、内筒部２３０の段差面２３１と当接する位置またはこの位置よりもパッキン４００から離れた位置に配置されることとなる。したがって、散水板２１０が「離隔位置」よりも更にパッキン４００から離隔しようとすると、内筒部２３０の段差面２３１が係止部５２０に当接して散水板２１０の変位が規制される。
【００７５】
このように、第１の実施形態に係る吐水装置１では、散水板２１０が「離隔位置」よりも更にパッキン４００から離隔しようとした場合に、規制部材５００によって散水板２１０の変位が規制される。このため、使用者の誤操作等によって散水部３が吐水部１２０から外れてしまうことを防止することができる。
【００７６】
上述してきたように、第１の実施形態に係る吐水装置１は、吐水装置本体２と、散水板２１０と、パッキン４００と、変位機構としての雄ネジ部１２０ａと雌ネジ部２３０ａとを備える。吐水装置本体２は、先端部に第１吐水口１２１および第２吐水口１２２が設けられる吐水部１２０を有し、水源から供給される水を内部に流通させて第１吐水口１２１または第２吐水口１２２から吐出する。散水板２１０は、複数の散水孔２１２，２１３を有し、第１吐水口１２１および第２吐水口１２２と所定の間隔をあけて対向配置される。パッキン４００は、散水板２１０と第１吐水口１２１および第２吐水口１２２との間に配置され、複数の散水孔２１２，２１３のうち一部の散水孔２１２と対向する。変位機構は、パッキン４００から離隔した離隔位置とパッキン４００に当接する当接位置との間で、散水板２１０を変位させる。
【００７７】
したがって、第１の実施形態に係る吐水装置１によれば、内部構造の煩雑化を抑えつつ、シャワー吐水の流速を切り替えることができる。
【００７８】
（第２の実施形態）
次に、第２の実施形態について説明する。第２の実施形態では、変位機構の変形例について図７〜９を参照して説明する。図７〜９は、変位機構の第１変形例〜第３変形例を示す図である。なお、図７〜図９では、カバー体２４０を省略して示している。また、以下の説明では、既に説明した部分と同様の部分については、既に説明した部分と同一の符号を付し、重複する説明を省略する。
【００７９】
まず、第１変形例について図７を参照して説明する。図７に示すように、散水部３Ａが備える外筒部２２０Ａには、外筒部２２０Ａの軸方向に対して所定の角度で傾斜する傾斜溝２２１が設けられる。傾斜溝２２１は、外筒部２２０Ａの上端縁まで延在する。また、傾斜溝２２１は、外筒部２２０Ａの周方向に沿って所定間隔で複数設けられる。なお、ここでは、傾斜溝２２１が、外筒部２２０Ａの外周面と内周面とを貫通する形状としたが、傾斜溝２２１は、少なくとも外筒部２２０Ａの内周面側に設けられていればよい。
【００８０】
吐水部１２０Ａの外周面には、傾斜溝２２１に係止される突起部１２５が設けられる。突起部１２５は、傾斜溝２２１と同等の間隔で、吐水部１２０Ａの周方向に沿って複数設けられる。
【００８１】
このように、吐水装置１は、変位機構として、上述した雄ネジ部１２０ａおよび雌ネジ部２３０ａに代えて、傾斜溝２２１と突起部１２５とを備えてもよい。かかる場合、吐水装置１は、この変位機構を用い、外筒部２２０Ａに加えられる回転力を螺旋回転に変換することで、散水板２１０をパッキン４００に対して接離させることができる。
【００８２】
具体的には、使用者が散水部３Ａを回転させると、散水部３Ａの外筒部２２０Ａには周方向に沿った回転力が加わる。変位機構は、この力の向きを傾斜溝２２１の傾斜方向に変換することで、外筒部２２０Ａを傾斜溝２２１に沿って螺旋回転させる。これにより、散水板２１０は、外筒部２２０Ａとともに外筒部２２０Ａの軸方向に沿って移動することで、「当接位置」または「離隔位置」へ変位する。
【００８３】
たとえば、図７には、散水板２１０が「当接位置」にある状態、すなわち、「高速シャワー吐水」状態を示している。この状態において、使用者が、散水部３Ａを反時計回りに回転させると、散水部３Ａが螺旋状に回転しながら下降して、散水板２１０が「離隔位置」へ変位する。すなわち、「ノーマルシャワー吐水」へ切り替わる。また、散水板２１０が「離隔位置」にある状態、すなわち、「ノーマルシャワー吐水」状態において、使用者が、散水部３Ａを時計回りに回転させると、散水部３Ａが螺旋状に回転しながら上昇して、散水板２１０が「当接位置」へ変位する。すなわち、「高速シャワー吐水」へ切り替わる。
【００８４】
このように、第１変形例に係る変位機構によれば、第１の実施形態に係る変位機構（雄ネジ部１２０ａおよび雌ネジ部２３０ａ）と同様、簡易な構成によって散水板２１０を変位させることができる。また、シャワー吐水形態の切り替え操作も容易である。
【００８５】
なお、吐水装置１は規制部材５００（図２参照）を備える。したがって、散水板２１０が「離隔位置」よりも更にパッキン４００から離隔しようとした場合に、規制部材５００によって散水板２１０の変位が規制されるため、使用者の誤操作等によって散水部３Ａが吐水部１２０Ａから外れてしまうことを防止することができる。
【００８６】
変位機構としての傾斜溝２２１および突起部１２５は、シール部材３００（図２参照）よりも上方（ヘッド本体１１０側）に設けられる。すなわち、傾斜溝２２１および突起部１２５は、シール部材３００によって隔離される内部空間および外部空間のうち外部空間側に設けられる。このため、この変位機構は、外筒部２２０Ａと吐水部１２０Ａとの間の水密性に影響を与え難い。ここでは、傾斜溝２２１が外筒部２２０Ａに設けられ、突起部１２５が吐水部１２０Ａに設けられる場合の例を示したが、これに限らず、吐水部１２０Ａに傾斜溝２２１が設けられ、外筒部２２０Ａに突起部１２５が設けられてもよい。
【００８７】
また、この第１変形例では、吐水部１２０Ａと外筒部２２０Ａとの間に変位機構を設けることとした。このように、吐水装置本体２の外部に変位機構が設けられるため、吐水装置本体２の内部構造が煩雑化することがない。また、吐水部１２０Ａと外筒部２２０Ａとの間に変位機構を設けて、外部に変位機構が露出しない構成とすることで、意匠性の高い外観を得ることができる。
【００８８】
次に、第２変形例に係る変位機構について図８を参照して説明する。図８に示すように、散水部３Ｂが備える外筒部２２０Ｂは、図７に示した傾斜溝２２１に代えて、傾斜溝２２３を備える。その他の構成は、図７に示した構成と同様である。
【００８９】
傾斜溝２２３は、上述した傾斜溝２２１とは異なり、外筒部２２０Ｂの上端縁までは延在しておらず、両端が閉鎖された形状を有する。これにより、散水板２１０を「離隔位置」よりも更にパッキン４００から離隔させようとした場合に、突起部１２５が傾斜溝２２３の端部に突き当たることによって散水板２１０の更なる変位が規制される。
【００９０】
このように、傾斜溝２２３の形状を両端が閉鎖された形状とすることにより、散水部３Ｂが吐水部１２０Ａから外れてしまうことを防止することができる。したがって、第２変形例に係る変位機構（傾斜溝２２３および突起部１２５）を採用する場合、図２に示す規制部材５００は不要となる。
【００９１】
次に、第３変形例に係る変位機構について図９を参照して説明する。なお、図９では、理解を容易にするために、吐水部１２０Ｃおよび散水部３Ｃの構成を簡略化して示している。
【００９２】
図９に示すように、第３変形例に係る吐水部１２０Ｃは、変位機構としての段差状係止部１５０を備える。段差状係止部１５０は、たとえば、吐水部１２０Ｃの外周面に対して周方向全周に亘って形成された溝１６０の内部に設けられる。
【００９３】
段差状係止部１５０は、第１の係止面１５１と、第１の係止面１５１よりもヘッド本体１１０（図２参照）側に設けられるスライド面１５２と、第１の係止面１５１よりも散水板２１０側に設けられる第２の係止面１５３とを備える。第１の係止面１５１、スライド面１５２および第２の係止面１５３は、溝１６０の全周に亘ってこの順番で繰り返し配列される。また、第１の係止面１５１、スライド面１５２および第２の係止面１５３は、吐水部１２０Ｃの周方向に対して所定の角度で傾斜している。
【００９４】
また、第２の実施形態に係る散水部３Ｃが備える外筒部２２０Ｃは、変位機構としての突起部２２４を備える。突起部２２４は、外筒部２２０Ｃの内周面から溝１６０内へ突出しており、第１の係止面１５１とスライド面１５２との間の段差部分、または、第２の係止面１５３と第１の係止面１５１との間の段差部分に係止される。
【００９５】
第２の実施形態に係る変位機構は、上記のように構成されており、図９に示すように、突起部２２４を第２の係止面１５３と第１の係止面１５１との間の段差部分に係止させることで、散水板２１０をパッキン４００（図２参照）から離隔した離隔位置に変位させることができる。また、突起部２２４を第１の係止面１５１とスライド面１５２との間の段差部分に係止させることで、散水板２１０をパッキン４００と当接する当接位置へ変位させることができる。
【００９６】
かかる変位機構を採用する場合、使用者は、散水部３Ｃを押し上げて回転させることで、「ノーマルシャワー吐水」と「高速シャワー吐水」との切り替えを行うことができる。
【００９７】
たとえば、図９では、突起部２２４が第２の係止面１５３と第１の係止面１５１との間の段差部分に係止された状態となっている。この状態において、使用者が散水部３Ｃを押し上げると、突起部２２４が上記段差部分に係止された状態が解除される。さらに、使用者が散水部３Ｃを時計回りに回転させると、突起部２２４が第１の係止面１５１とスライド面１５２との間の段差部分に係止される。これにより、使用者は、シャワー吐水をノーマルシャワー吐水から高速シャワー吐水へ切り替えることができる。
【００９８】
また、高速シャワー吐水時において、使用者が散水部３Ｃを押し上げると、突起部２２４が第１の係止面１５１とスライド面１５２との間の段差部分に係止された状態が解除される。さらに、使用者が散水部３Ｃを時計回りに回転させると、突起部２２４がスライド面１５２に沿って移動し、第２の係止面１５３と第１の係止面１５１との間の段差部分に落ち込んで係止された状態となる。これにより、使用者は、シャワー吐水を高速シャワー吐水からノーマルシャワー吐水へ切り替えることができる。
【００９９】
このように、吐水装置１は、変位機構として、段差状係止部１５０と、突起部２２４とを備えてもよい。かかる場合、第１の係止面１５１とスライド面１５２との間の段差部分または第２の係止面１５３と第１の係止面１５１との間の段差部分に突起部２２４を係止させることで、散水板２１０を変位させることができる。
【０１００】
なお、ここでは、散水部３Ｃを時計回りに回転させる場合の操作例を示したが、使用者は、散水部３Ｃを反時計回りに回転させてもよい。この場合、使用者は、第１の係止面１５１とスライド面１５２との間の段差部分に突起部２２４が係止された状態において、散水部３Ｃを反時計回りに回転させることで、「ノーマルシャワー吐水」へ切り替えることができる。すなわち、散水部３Ｃを押し上げる操作が不要となる。また、たとえば、スライド面１５２と第２の係止面１５３との間の段差部分にアールを設けるなどして、第２の係止面１５３から第１の係止面１５１への突起部２２４の移動が、散水部３Ｃを反時計回りに回転させるだけで行われるように構成してもよい。これにより、「高速シャワー吐水」への切り替え時にも、散水部３Ｃを押し上げる操作が不要となる。
【０１０１】
また、ここでは図示を省略したが、吐水部１２０Ｃと外筒部２２０Ｃとの間には、シール部材３００（図２参照）が設けられており、このシール部材３００により、外筒部２２０Ｃと吐水部１２０Ｃとの間の水密性が確保される。また、変位機構としての段差状係止部１５０および突起部２２４は、シール部材３００よりも上方（ヘッド本体１１０側）に設けられる。このため、変位機構は、吐水部１２０Ｃと外筒部２２０Ｃとの間の水密性に影響を与え難い。
【０１０２】
また、変位機構としては、ノック式ボールペンなどに用いられるノックカム機構を用いることもできる。かかる場合、使用者は、散水部を押し上げるだけで、ノーマルシャワー吐水と高速シャワー吐水とを切り替えることが可能となる。
【０１０３】
（第３の実施形態）
次に、第３の実施形態について説明する。第３の実施形態では、パッキンの変形例について図１０を参照して説明する。図１０は、パッキンの変形例を示す図である。
【０１０４】
図１０に示すように、第３の実施形態に係るパッキン４００Ａは、複数の散水孔２１２，２１３のうち、内周側に並べて配置される散水孔２１２の一部と、外周側に並べて配置される散水孔２１３の一部とにそれぞれ対向する環形状を有する。これにより、散水板２１０が当接位置へ変位することで、散水孔２１２，２１３のうち、散水孔２１２の一部と散水孔２１３の一部とが、パッキン４００Ａによって塞がれることとなる。
【０１０５】
このように、内周側に並べて配置される散水孔２１２と外周側に並べて配置される散水孔２１３とをそれぞれ部分的にパッキン４００Ａで塞ぐようにすることで、「ノーマルシャワー吐水」と「高速シャワー吐水」とでシャワーの吐水範囲が極力変化しないようにすることができる。
【０１０６】
また、図１０に示すパッキン４００Ａは、複数の散水孔２１２と対向する部分と、複数の散水孔２１３と対向する部分とが交互に設けられた環形状を有する。このような形状とすることで、シャワーの吐水範囲を散水板２１０の全周に亘って途切れることなく連続させることができる。
【０１０７】
なお、ここでは、パッキン４００Ａが、単一の部材である場合の例を示したが、パッキン４００Ａは、たとえば内周側の散水孔２１２を塞ぐパーツと、外周側の散水孔２１３を塞ぐパーツとに分かれていてもよい。
【０１０８】
（第４の実施形態）
次に、第４の実施形態について説明する。第４の実施形態では、パッキンの取付構造の変形例について図１１〜図１３を参照して説明する。図１１〜図１３は、それぞれパッキンの取付構造の第１変形例〜第３変形例を示す図である。
【０１０９】
たとえば図１１に示すように、吐水部１２０Ｄは、第１吐水口１２１の周縁部から散水板２１０側へ突出する略円筒状の固定部１２６を備える。固定部１２６の先端には、後述する可動部４２０を係止するための爪１２７が設けられる。なお、吐水部１２０Ｄと固定部１２６と爪１２７とは、一体的に形成される。
【０１１０】
固定部１２６には、略円筒状の可動部４２０と、付勢部材としてのコイルバネ４３０が遊嵌される。可動部４２０は、コイルバネ４３０よりも散水板２１０側に配置されており、コイルバネ４３０によって散水板２１０側へ付勢される。また、可動部４２０は、固定部１２６の爪１２７に係止されることにより、散水板２１０側への移動が規制される。パッキン４００Ｂは、可動部４２０の先端面に固定されることにより、散水孔２１２と対向配置される。
【０１１１】
変位機構により散水板２１０をパッキン４００Ｂとの当接位置まで変位させると、パッキン４００Ｂおよび可動部４２０は、散水板２１０によってヘッド本体１１０（図２参照）側に押し上げられることにより、爪１２７に係止された状態が解除される。これにより、パッキン４００Ｂおよび可動部４２０は、コイルバネ４３０からの付勢力によって散水板２１０に押し付けられた状態となる。
【０１１２】
このように、パッキン４００Ｂをコイルバネ４３０を介して吐水部１２０Ｄに取り付けることにより、散水孔２１２がパッキン４００Ｂによって塞がれた状態を強固に維持することができ、パッキン４００Ｂから散水孔２１２への水漏れを防止することができる。なお、この第１変形例に係る取付構造は、たとえば図９に示す変位機構のように、散水部３Ｃを当接位置よりも更に吐水部１２０Ｃ側へ変位させる操作が必要となる変位機構を採用する場合に好適である。
【０１１３】
また、上述した例に限らず、パッキンは、吐水部に対して直接取り付けられてもよい。たとえば、図１２に示すように、パッキン４００Ｃは、吐水部１２０Ｅと一体形成された固定部１２８に対して取り付けられてもよい。固定部１２８は、第１吐水口１２１の周縁部から散水板２１０側へ突出する略円筒状の部位である。
【０１１４】
また、図１２では、パッキン４００Ｃの固定部１２８が、パッキン４００Ｃの内周側に配置される場合の例を示したが、パッキンの固定部は、パッキンの外周側に配置されてもよい。たとえば、図１３に示すように、パッキン４００Ｄは、吐水部１２０Ｆと一体形成された固定部１２９に取り付けられてもよい。固定部１２９は、吐水部１２０Ｆの外縁部から散水板２１０側へ突出する略円筒状の部位である。
【０１１５】
このように、パッキンは、吐水部に対して直接取り付けられてもよい。これにより、吐水装置本体２の部品数を減らすことができる。
【０１１６】
（その他の実施形態）
上述した実施形態では、温度および流量の調節が可能であり、かつ、原水と浄水との切り替えも可能な吐水装置を例に挙げて説明したが、吐水装置は、温度および流量の調節または原水と浄水との切り替えの一方のみ可能な構成であってもよい。
【０１１７】
また、上述した実施形態では、キッチンや洗面化粧台のカウンターに設置される吐水装置を例に挙げて説明したが、吐水装置は、たとえば風呂場に設置されてもよい。
【０１１８】
また、上述した実施形態では、シャワー吐水とストレート吐水とを切り替え可能な吐水装置を例に挙げて説明したが、吐水装置は、少なくともシャワー吐水が可能な構成を有していればよい。
【０１１９】
また、上述した実施形態では、複数の散水孔が同心円状に並べて設けられる場合の例を示したが、複数の散水孔の配置は、必ずしも同心円状であることを要しない。
【０１２０】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１２１】
１  吐水装置
２  吐水装置本体
３  散水部
４  ベース部
５  スパウト
６  吐水ヘッド
７  温度・流量調節レバー
８  原水・浄水切替レバー
１１０  ヘッド本体
１１１  通水路形成部材
１１２  切替弁
１１３  操作部
１２０  吐水部
１２１  第１吐水口
１２２  第２吐水口
１２３  第１吐水路
１２４  第２吐水路
１２５  突起部
２１０  散水板
２１１  ストレート吐水用開口部
２１２，２１３  散水孔
２２０  外筒部
２２１  傾斜溝
２３０  内筒部
２３１  段差面
２４０  カバー体
４００  パッキン
５００  規制部材
【図１】
0006544707.tif 000002
【図２】
0006544707.tif 000003
【図３】
0006544707.tif 000004
【図４】
0006544707.tif 000005
【図５】
0006544707.tif 000006
【図６】
0006544707.tif 000007
【図７】
0006544707.tif 000008
【図８】
0006544707.tif 000009
【図９】
0006544707.tif 000010
【図１０】
0006544707.tif 000011
【図１１】
0006544707.tif 000012
【図１２】
0006544707.tif 000013
【図１３】
0006544707.tif 000014